(57)【要約】【課題】特殊器具がメダル投入口から挿入されたことを検知すること。【解決手段】メダル通路３４に、堰き止め部材４３、堰き止め部材位置センサ５３、メダル有無センサ５２を設ける。堰き止め部材４３は、メダルを堰き止める堰き止め位置と、メダルの通過を可能にする通過位置との間で揺動回転する。堰き止め部材４３が所定時間継続して通過位置にあるとき、または、堰き止め部材４３が堰き止め位置にあるにも関わらずに堰き止められているメダルが無いときに、エラー処理を行う。【選択図】図３
2009125405.tif 000002
【特許請求の範囲】
【請求項１】
メダル投入口から投入されたメダルを案内するメダル通路と、このメダル通路の途中に設けられメダルの通過を検知するメダルセレクタとを備えたスロットマシンにおいて、
前記メダルセレクタよりも上流側で前記メダル通路内に進入してメダルを堰き止めることができる堰き止め位置、及び前記メダル通路から退避してメダルを通過させる通過位置の間で変位する堰き止め部材と、
前記堰き止め部材よりも上流側で前記メダル通路内に突出して配置されており、この突出部位に前記投入されたメダルが接触したときに、前記堰き止め部材に予め堰き止められていた一個のメダルが通過するように前記堰き止め部材を前記通過位置に変位させてから、前記投入されたメダルが新たに堰き止められるように前記堰き止め部材を前記堰き止め位置に変位させる堰き止め部材駆動片と、
前記堰き止め部材に堰き止められているメダルの有無を検出するメダル有無検出手段と、
前記堰き止め部材の位置を検出する堰き止め部材位置検出手段と、
前記堰き止め部材位置検出手段が所定時間継続して前記通過位置を検出した場合、または、前記堰き止め部材位置検出手段が前記堰き止め位置を検出しているにも関わらず前記メダル有無検出手段がメダル無しを検出した場合に、エラー信号を出力するエラー検出手段と、
を備えたことを特徴とするスロットマシン。
【請求項２】
前記メダル通路は、前記メダル投入口から鉛直方向に延びる鉛直通路、及びこの鉛直通路から傾斜して延びる傾斜通路とを有し、
前記堰き止め部材は、前記傾斜通路の上方に設けられた回転軸を中心に揺動回転可能であって、前記回転軸に対して前記メダル通路の上流側よりも下流側の部位のほうが重量が大きく、その重量バランスの偏りによって前記堰き止め位置に位置し、
前記堰き止め部材駆動片は、前記堰き止め部材に設けられるとともに前記鉛直通路内に突出しており、
前記堰き止め部材のメダルを堰き止める堰き止め部と、前記堰き止め部材駆動片の突出部位とは、前記メダル通路においてメダル一個分以上の間隔が空くように配置されていることを特徴とする請求項１記載のスロットマシン。
【発明の詳細な説明】
【技術分野】
【０００１】
本発明は、クレマンゴトを防止するスロットマシンに関する。
【背景技術】
【０００２】
パチンコ店に設置されて使用されるスロットマシンはパチスロ機と称され、メダルに一定の価値が与えられて、ゲームを行って獲得したメダルを種々の景品に交換することができる。このようなスロットマシンではゲーム毎にメダルを賭けているが、メダルを賭ける方法として、メダル投入口からメダルを投入する方法と、クレジット機能により貯留されたメダルを賭ける方法とがあり、いずれかの方法を遊技者が選択できる。
【０００３】
上記のクレジット機能は、メダル投入口から投入されたメダルや、ゲームの入賞結果に応じて払い出すべきメダルを、機械内部に貯留（記憶）する機能であり、貯留されたメダルの枚数はクレジット表示部に表示される。クレジットとして貯留されたメダルは、ベットボタンやＭＡＸベットボタンを操作してゲームに賭けることができ、また、ペイアウトボタンを操作して払い出すことができる。
【０００４】
ところで、近年、クレジット枚数を不正に増加させるゴト、いわゆるクレマンゴトが増えている。このクレマンゴトは、先端部に発光素子が設けられた樹脂製の特殊器具をメダル投入口から挿入し、その先端部をメダルセレクタのメダル通過センサまで到達させた後、発光素子の点滅によってメダル通過センサを誤作動させ、クレジット枚数を瞬時に最大値にまで増加させる行為である。このクレマンゴトによりホールは大きな損害を被っている
【０００５】
特許文献１には上記の特殊器具の挿入を防止する技術が記載されている。この技術では、メダルが通過するメダル通路にシーソー式の揺動部材を設けるとともに、揺動部材の奥側の端部を通路内壁に向けて付勢する付勢バネを設けており、揺動部材と通路内壁との僅かな隙間にメダルを通過させる構成になっている。メダルは揺動部材の奥側の端部を押し退けて通過することができるが、特殊器具は長尺であることから揺動部材の奥側の端部を押し退けたときに手前側の端部に押え付けられそれ以上奥には進入することができない構成になっている。
【特許文献１】特開２００６−１４８４０号公報
【発明の開示】
【発明が解決しようとする課題】
【０００６】
しかしながら、上記特許文献１記載の技術は、特殊器具の挿入を物理的に難しくする技術であって、特殊器具の挿入行為自体を検知する技術ではなかった。このため、例えば、様々な形状の特殊器具の挿入を順に試みるような行為が行われた場合に、これを許すこととなり、やがて挿入防止構造が見破られてしまうことが考えられる。
【０００７】
特殊器具の挿入が試みられた場合には、特殊器具の挿入を検知することはもちろんであるが、その挿入が行われたことを示す物理的な痕跡が残る構成にすることが好ましい。ホール側では、痕跡を確認することにより特殊器具の挿入が試みられたことを確信することができるし、痕跡を証拠として不正行為者に突き付けることもできる。
【０００８】
本発明は、上記事情を考慮してなされたものであり、特殊器具（異物）がメダル投入口から挿入されたことを検知するとともに、特殊器具が挿入された痕跡を残すことができるスロットマシンを提供することを目的とする。
【課題を解決するための手段】
【０００９】
本発明は、メダル投入口から投入されたメダルを案内するメダル通路と、このメダル通路の途中に設けられメダルの通過を検知するメダルセレクタとを備えたスロットマシンに関し、前記メダルセレクタよりも上流側で前記メダル通路内に進入してメダルを堰き止めることができる堰き止め位置、及び前記メダル通路から退避してメダルを通過させる通過位置の間で変位する堰き止め部材と、前記堰き止め部材よりも上流側で前記メダル通路内に突出して配置されており、この突出部位に前記投入されたメダルが接触したときに、前記堰き止め部材に予め堰き止められていた一個のメダルが通過するように前記堰き止め部材を前記通過位置に変位させてから、前記投入されたメダルが新たに堰き止められるように前記堰き止め部材を前記堰き止め位置に変位させる堰き止め部材駆動片と、前記堰き止め部材に堰き止められたメダルの有無を検出するメダル有無検出手段と、前記堰き止め部材の位置を検出する堰き止め部材位置検出手段と、前記堰き止め部材位置検出手段が所定時間継続して前記通過位置を検出した場合、または、前記堰き止め部材位置検出手段が前記堰き止め位置を検出しているにも関わらず前記メダル有無検出手段がメダル無しを検出した場合に、エラー信号を出力するエラー検出手段と、を備えたことを特徴とする。
【００１０】
前記メダル通路は、前記メダル投入口から鉛直方向に延びる鉛直通路、及びこの鉛直通路から傾斜して延びる傾斜通路とを有し、前記堰き止め部材は、前記傾斜通路の上方に設けられた回転軸を中心に揺動回転可能であって、前記回転軸に対して前記メダル通路の上流側よりも下流側の部位のほうが重量が大きく、その重量バランスの偏りによって前記堰き止め位置に位置し、前記堰き止め部材駆動片は、前記堰き止め部材に設けられるとともに前記鉛直通路内に突出しており、前記堰き止め部材のメダルを堰き止める堰き止め部と、前記堰き止め部材駆動片の突出部位とは、前記メダル通路においてメダル一個分以上の間隔が空くように配置されていることが好ましい。
【発明の効果】
【００１１】
本発明によれば、特殊器具（異物）がメダル投入口から挿入され、この挿入状態が所定時間継続した場合には、特殊器具が堰き止め部材駆動片に接触し続け、堰き止め部材が所定時間継続して通過位置に位置して、エラーが出力される。一方、特殊器具が挿入され、すぐに引き抜かれた場合には、特殊器具が堰き止め部材駆動片に一瞬だけ接触し、堰き止め部材が通過位置に変位して予め堰き止められていた１個のメダルが流下してから堰き止め部材が堰き止め位置に戻り、これにより、堰き止め部材が堰き止め位置に位置しているにも関わらずに堰き止められているメダルが無い状態になり、エラーが出力される。このように、特殊器具が挿入されたときには必ずエラーが出力されるから、クレマンゴトが防止できる。
【００１２】
また、特殊器具が挿入され引き抜かれると、堰き止め部材が通過位置に変位して予め堰き止められていた１個のメダルが流下してから堰き止め部材が堰き止め位置に変位する動作が行われ、結果的に堰き止められているメダルが無い状態となる。この堰き止め部材に堰き止められているメダルが無いことが、特殊器具が挿入されたことの物理的な痕跡となる。ホール側では、この痕跡を確認することにより特殊器具の挿入が試みられたことを確信することができるし、痕跡を証拠として不正行為者に突き付けることもできる。
【発明を実施するための最良の形態】
【００１３】
図１に示すように、パチンコ店に設置されるスロットマシン１０は、スロットマシン本体１１と、スロットマシン本体１１の前面に開閉可能に設けられた上扉１２及び下扉１３とを備えている。スロットマシン本体１１は、上下に区切られた収納箱１４を有し、収納箱１４の上部を上扉１２が開閉し、下部を下扉１３が開閉する。上扉１２の奥には、リールユニット１５が配置され、下扉１３の奥には、メダルを受け皿１６に払い出すメダルホッパ１７（図２参照）や、メダルの投入枚数に対するメダルの払い出し枚数の割合すなわちペイアウト率を変更する際に操作される設定変更装置１８（図２参照）などが配置されている。
【００１４】
リールユニット１５は、それぞれ回転可能な第１リール１９、第２リール２０、第３リール２１を有し、各リール１９，２０，２１の外周面には複数種類の図柄が配置されている。上扉１２には表示窓２２が設けられており、表示窓２２を通して１リール当たり３個の図柄を視認することができる。スロットマシン１０では、横３本と斜め２本とからなる計５本の入賞有効ラインが設定されており、第１〜第３リール１９〜２１が停止したときに入賞有効ライン上に停止した図柄の組み合わせによって、ゲームにおける当選役に入賞したか否かが表示される。当選役に入賞した場合には、メダルホッパ１７が駆動されて当選役に応じた枚数のメダルが受け皿１６に払い出される。表示窓２２の側方には液晶ディスプレイ２３が設けられている。液晶ディスプレイ２３には遊技状態に応じた演出画像や、各種エラーを示す文字などが表示される。
【００１５】
下扉１３には、メダルを投入するメダル投入口２４、第１〜第３リール１９〜２１の回転を開始させるスタートレバー２５、ゲーム中に回転している各リール１９，２０，２１を停止させる第１〜第３ストップボタン２６，２７，２９、１回の押下で３枚をベットするＭＡＸベットボタン２９、１回の押下で１枚をベットするベットボタン３０、クレジット（貯留）されているメダルの払い出しを行うときに操作されるペイアウトボタン３１などが設けられている。メダルのクレジット枚数はクレジット表示部３７に表示される。メダル投入口２４からメダルを投入するか、または、ベットボタン３０若しくはＭＡＸベットボタン２９を操作してメダルをベットすることにより、ゲームを開始することができる。
【００１６】
図２に示すように、下扉１３の奥に設けられたメダルホッパ１７は、メダルを貯留するバケット３２と、バケット３２に貯留されたメダルのうちゲームの入賞結果に応じた枚数のメダルを受け皿１６に払い出す払出装置３３とを有している。下扉１３の裏面においてメダル投入口２４の下方には、メダル投入口２４から投入されたメダルを通過させるメダル通路３４が内部に形成されたメダル通路部材３５と、メダル通路３４を通過したメダルをバケット３２に案内するメダルシュート３６とが設けられている。
【００１７】
図３に示すように、メダル通路３４は、メダル投入口２４から投入されたメダルを鉛直下方向に案内する鉛直通路４０と、鉛直通路４０から傾斜して下方向に延びる傾斜通路４１と、傾斜通路４１を通過したメダルを水平方向に案内しメダルシュート３６まで導く水平通路４２とからなる。また、メダル通路３４には、上流から順に、メダルを堰き止めるための堰き止め部材４３と、水平通路４２を通過させるか否かにメダルを振り分ける振分装置４４と、水平通路４２を通過するメダルの枚数をカウントするメダル通過センサ４５とが設けられている。振分装置４４とメダル通過センサ４５とがメダルセレクタを構成している。
【００１８】
鉛直通路４０及び傾斜通路４１は、紙面奥及び手前が壁部により囲われており、紙面奥の壁部と紙面手前の壁部との隙間がメダルの厚みよりもやや大きいサイズになっており、メダル投入口２４から投入されたメダルは、倒れることなく縦の姿勢のまま鉛直通路４０及び傾斜通路４１を流下する。また、鉛直通路４０、傾斜通路４１、及び水平通路４２の通路幅（紙面奥方向に直交する方向での幅）は、メダルの直径よりもやや大きいサイズになっている。
【００１９】
堰き止め部材４３は断面Ｌ字状の板材であり、傾斜通路４１の上方に設けられた回転軸４６を中心に揺動回転可能である。回転軸４６はメダル通過方向と直交するように配置されている。堰き止め部材４３は、傾斜通路４１の上壁部４７に形成された開口４８を介して傾斜通路４１内に進入してメダルを堰き止めることができる実線で示す堰き止め位置と、傾斜通路４１から上方に退避してメダルの通過を可能にする二点鎖線で示す通過位置との間で揺動する。堰き止め部材４３の先端部の略直角に折れ曲がった部位が、メダルを堰き止める堰き止め部４３ａになっている。堰き止め部材４３は回転軸４６に対して上流側よりも下流側の部位のほうが長く、このため下流側の部位のほうが重量が大きくなっており、この重量バランスの偏りにより通常時は堰き止め位置に位置する。
【００２０】
堰き止め部材４３の上流側の端部には、堰き止め部材４３を揺動回転駆動する板状の駆動片（堰き止め部材駆動片）４９が設けられている。堰き止め部材４３が堰き止め位置にあるときに、駆動片４９は鉛直通路４０の壁部５０に形成された開口５１を介して鉛直通路４０内に突出しており、この突出部位４９ａに投入されたメダルが接触するように構成されている。メダルが駆動片４９に接触すると、駆動片４９は押し下げられ、これにより、堰き止め部材４３は一時的に通過位置に回動する。
【００２１】
堰き止め部材４３の堰き止め部４３ａと、駆動片４９の突出部位４９ａとは、メダル通路３４においてメダル一個分以上の間隔が空くように配置されている。これにより、堰き止め部４３ａがメダルを堰き止める空間を確保することができる。
【００２２】
傾斜通路４１には、堰き止め部材４３に堰き止められているメダルの有無を検出するためのメダル有無センサ（メダル有無検出手段）５２が設けられている。メダル有無センサ５２は、開口４８よりもやや上流に位置するようにして、傾斜通路４１の紙面奥の内壁面に設けられている。メダル有無センサ５２は、例えばフォトセンサであって、投光部と受光部とを備えており、投光部が発した検査光が受光部に戻るか否かを検出している。堰き止められているメダルが有るときには検査光がメダルに反射して受光部に戻り、一方、メダルが無いときには検査光が受光部に戻らない構成になっている。メダル有無センサ５２は、受光部が検査光を受光したときにメダル有信号を出力し、受光部が検査光を受光しないときにメダル無信号を出力する。
【００２３】
傾斜通路４１を形成している上壁部の外面には、堰き止め部材４３の位置を検出するための堰き止め部材位置センサ（堰き止め部材位置検出手段）５３が設けられている。堰き止め部材位置センサ５３は、例えばメダル有無センサ５２と同じ構成のフォトセンサであり、上流に向けて検査光が出射される。堰き止め部材４３が堰き止め位置にあるときには、検査光が堰き止め部４３ａに反射して受光部に戻り、一方、堰き止め部材４３が通過位置にあるときには、検査光が受光部に戻らない構成になっている。堰き止め部材位置センサ５３は、受光部が検査光を受光したときに堰き止め位置信号を出力し、受光部が検査光を受光しないときに通過位置信号を出力する。
【００２４】
図４に示すように、水平通路４２には、振分装置４４とメダル通過センサ４５とが上流から順に設けられている。振分装置４４は、メダル通路部材３５に取り付けられた取付板５４と、取付板５４に設けられた回転軸５５を中心に揺動回転するガイド板５６と、ガイド板５６を揺動回転させるガイド板駆動機構（図示なし）とから構成されている。
【００２５】
ガイド板５６は、メダルの上部をガイドしてメダル通路３４を通過させることができる実線で示すガイド位置と、メダルの上部をガイドせずにメダルを矢印Ａで示す方向に落下させる二点鎖線で示す排出位置との間で揺動回転可能である。スロットマシン１０の電源がオンになっているときには、原則、ガイド板５６はガイド位置に位置するが、メダルが貯留されている枚数が上限（例えば、５０枚）に達している場合や、ゲーム中（スタートレバー２５が操作されてから各リール１９〜２１が停止されるまでの間）の場合などには、ガイド板５６は排出位置に回動する。
【００２６】
また、ガイド板５６がガイド位置に位置する場合であっても、例えば、正規のサイズよりも小さいメダルはその上部がガイド板５６にガイドされずに、矢印Ａで示す方向に落下する。落下したメダルは、排出通路（図示なし）を介して受け皿１６に排出される。
【００２７】
メダル通過センサ４５は、振分装置４４を通過したメダルを検出する。メダル通過センサ４５は、メダル有無センサ５２と同じ構成のフォトセンサをメダル通過方向に沿って２つ並べた構成であり、これらの２つのフォトセンサが所定のタイミングで順にオンになったときに、１枚のメダルが通過したものとして検出する。メダル通過センサ４５は、メダルの通過を検出すると、メダル通過信号を出力する。
【００２８】
図５に示すように、スロットマシン１０の各部は制御部６０によって統括的に制御されている。制御部６０にはメモリ６１が接続されており、制御部６０はメモリ６１に記憶されているゲームプログラムに基づいて各部を制御している。
【００２９】
制御部６０には、メダル通過センサ４５、クレジット記憶部６２、クレジット表示部３７、スタートレバー２５、ベットボタン３０、ＭＡＸベットボタン２９、ペイアウトボタン３１が接続されている。制御部６０は、メダル通過センサ４５からメダル通過信号が入力されると、クレジット記憶部６２に記憶されているクレジット枚数を１加算する。また、制御部６０は、ベットボタン３０が操作されると、クレジット記憶部６２に記憶されているクレジット枚数を１減算し、ＭＡＸベットボタン２９が操作されると、クレジット記憶部６２に記憶されているクレジット枚数を３減算する。クレジット記憶部６２に記憶されているクレジット枚数はクレジット表示部３７に表示される。
【００３０】
ペイアウトボタン３１が操作されたときには、制御部６０はクレジット記憶部６２に記憶されたクレジット枚数分のメダルが払い出されるようにメダルホッパ１７を駆動するとともに、クレジット記憶部６２に記憶されたクレジット枚数をゼロにする。
【００３１】
メダルが賭けられた状態でスタートレバー２５が操作されると、制御部６０はコントローラ６３を駆動してリールユニット１５の各リールを回転させてゲームを開始する。ストップボタン２６，２７，２８が操作されると、制御部６０及びコントローラ６３が各リール１９，２０，２１の停止制御を行う。入賞有効ライン上に所定の図柄が揃った場合には入賞となり、制御部６０は入賞結果に応じた枚数のメダルが払い出されるようにメダルホッパ１７を駆動する。
【００３２】
制御部６０には堰き止め部材位置センサ５３及びメダル有無センサ５２が接続されており、制御部６０はこれらのセンサ５３，５２からの入力信号に基づいて、特殊器具などの異物がメダル投入口２４からが挿入されているか否かのエラー判断を行っている。図６に示すように、制御部６０は、堰き止め部材位置センサ５３からの入力信号が所定時間継続して通過位置信号であるときにエラーと判断し、また、堰き止め部材位置センサ５３からの入力信号が堰き止め位置信号であるにも関わらずにメダル有無センサ５２からの入力信号がメダル無信号であるときにエラーと判断する。制御部６０でエラーと判断された場合には、メダルホッパ１７の駆動が停止されメダルの払い出し動作が停止されるとともに、スピーカ６４（図５参照）からエラー音声が出力される。
【００３３】
上記構成による作用について説明する。まず、メダルが投入されたときの堰き止め部材４３及びメダルの動きについて図７及び図８を用いて説明する。予め堰き止められているメダルに符号Ｐを付し、投入されるメダルに符号Ｑを付す。
【００３４】
図７（Ａ）に示すように、メダル投入待機時には、堰き止め部材４３は重量バランスの偏りによって堰き止め位置に位置し、堰き止め部材４３はメダルＰを堰き止めている。堰き止め部材位置センサ５３は堰き止め位置信号を出力し、メダル有無センサ５２はメダル有信号を出力している。
【００３５】
メダルＱが投入されると、図７（Ｂ）に示すように、メダルＱが鉛直通路４０を流下し、その流下途中でメダルＱが駆動片４９に接触して駆動片４９を押し下げる。堰き止め部材４３は回転軸４６を中心に回転して通過位置に回動する。堰き止め部材４３が通過位置に回動すると、メダルＰが傾斜通路４１を流下する。
【００３６】
図７（Ｃ）に示すように、堰き止め部材４３は、重量バランスの偏りによってすぐに通過位置から堰き止め位置に戻る。これにより、メダルＱは堰き止め部材４３によって堰き止められる。このように、堰き止め部材４３の一連の揺動回転動作がメダルが投入される度に繰り返される。
【００３７】
次に、特殊器具が挿入された場合について図９を用いて説明する。長尺な板状の特殊器具１００がメダル投入口２４から挿入されると、特殊器具１００が駆動片４９に接触し、堰き止め部材４３が通過位置に回動する。これにより堰き止め部材４３によって予め堰き止められていた１個のメダルが流下する。堰き止め部材位置センサ５３は通過位置信号を出力する。
【００３８】
堰き止め部材４３が所定時間継続して挿入された場合には、堰き止め部材位置センサ５３は通過位置信号を所定時間継続して出力し、これを受けて制御部６０がエラーと判断する。
【００３９】
また、堰き止め部材４３が挿入後すぐに引き抜かれた場合には、堰き止め部材４３は通過位置から堰き止め位置に戻るが、堰き止められているメダルが無い状態となる。堰き止め部材位置センサ５３が堰き止め位置信号を出力しているにも関わらずメダル有無センサ５２がメダル無信号を出力することになり、これを受けて制御部６０がエラーと判断する。
【００４０】
制御部６０がエラーと判断したときには、メダルホッパ１７の駆動が停止されるとともに、スピーカ６４からエラー音声が出力される。このエラー音声により、ホールの店員はクレマンゴトが行われていることに気付くことができる。
【００４１】
また、特殊器具１００が挿入され引き抜かれたときには、堰き止められているメダルが無い状態となり、このメダルが無いことが特殊器具１００が挿入された痕跡となる。ホール側では、痕跡を確認することにより特殊器具１００の挿入が試みられたことを確信することができるし、この痕跡を証拠として不正行為者に突き付けることもできる。
【００４２】
なお、上記実施形態では、堰き止め部材４３は重量バランスの偏りにより堰き止め位置に位置したが、この替わりに、図１０に示すように、堰き止め部材４３を堰き止め位置に付勢する付勢バネ２００を設けてもよい。ただし、この場合、投入されたメダルが駆動片４９に接触したときに堰き止め部材４３が通過位置に回動できる程度に付勢バネ２００の付勢力を調整する必要がある。
【００４３】
堰き止め部材に重量バランスの偏りをつけるために、堰き止め部材にバランスウェイトを設けてもよい。
【図面の簡単な説明】
【００４４】
【図１】スロットマシンの外観斜視図である。
【図２】下扉を開放したスロットマシンを示す斜視図である。
【図３】メダル通路の断面図である。
【図４】メダルセレクタの斜視図である。
【図５】スロットマシンの電気的構成を示すブロック図である。
【図６】エラー判断の流れを示すフローチャートである。
【図７】メダルを投入したときの堰き止め部材の動きを示す図である。
【図８】メダルを投入したときの堰き止め部材の動きの流れを示すフローチャートである。
【図９】特殊器具が挿入されたときのメダル通路の断面図である。
【図１０】堰き止め部材を堰き止め位置に付勢する付勢バネを示す図である。
【符号の説明】
【００４５】
１０  スロットマシン
３４  メダル通路
４０  鉛直通路
４１  傾斜通路
４３  堰き止め部材
４３ａ  堰き止め部
４９  駆動片
４９ａ  突出部位
５３  堰き止め部材位置センサ
【図１】
2009125405.tif 000003
【図２】
2009125405.tif 000004
【図３】
2009125405.tif 000005
【図４】
2009125405.tif 000006
【図５】
2009125405.tif 000007
【図６】
2009125405.tif 000008
【図７】
2009125405.tif 000009
【図８】
2009125405.tif 000010
【図９】
2009125405.tif 000011
【図１０】
2009125405.tif 000012